(57)【要約】【課題】  搭載機器の使用温度範囲の拡大に対応して、高い信頼性を有する書き込み動作を保証することができるディスク駆動装置及び情報記録方法を提供する。さらに、装置を小型化することができて、消費電力を抑制することも可能である、使用温度範囲の拡大に対応したディスク駆動装置及び情報記録方法を提供する。【解決手段】  温度によって保磁力ＨＣが変化する少なくとも１つのディスクと、この少なくとも１つのディスクに情報を書き込む情報書き込み手段と、この少なくとも１つのディスクの温度を測定する温度測定手段と、この温度測定手段による測定値に基づいて書き込み許可領域を設定し、設定された書き込み許可領域を情報書き込み手段に対して指示する書き込み制御手段とを備えているディスク駆動装置が提供される。【選択図】  図１
2006059413.tif 000002
【特許請求の範囲】
【請求項１】
温度によって保磁力が変化する少なくとも１つのディスクと、該少なくとも１つのディスクに情報を書き込む情報書き込み手段と、前記少なくとも１つのディスクの温度を測定する温度測定手段と、該温度測定手段による測定値に基づいて情報の書き込みを許可するディスク領域を設定し、設定された該ディスク領域を前記情報書き込み手段に対して指示する書き込み制御手段とを備えていることを特徴とするディスク駆動装置。
【請求項２】
前記少なくとも１つのディスクが、少なくとも１つの磁気ディスクであって、前記情報書き込み手段が、該少なくとも１つの磁気ディスクに情報を書き込む少なくとも１つの磁気ヘッドを含んでおり、磁気記録方式によって情報の記録及び再生を行うことを特徴とする請求項１に記載のディスク駆動装置。
【請求項３】
前記測定値が所定の温度範囲を下回って小さい値である場合に、前記書き込み制御手段が、前記ディスク領域を所定の動径座標以内の範囲に設定することを特徴とする請求項１又は２に記載のディスク駆動装置。
【請求項４】
前記測定値が小さいほど、前記所定の動径座標が小さくなることを特徴とする請求項３に記載のディスク駆動装置。
【請求項５】
前記測定値が所定の温度範囲を超えて大きい値である場合に、前記書き込み制御手段が、前記磁気ヘッドのスキュー角が所定範囲内となるディスク領域を設定することを特徴とする請求項２に記載のディスク駆動装置。
【請求項６】
前記測定値が大きいほど、前記スキュー角の所定範囲が狭くなることを特徴とする請求項５に記載のディスク駆動装置。
【請求項７】
前記所定の温度範囲の下限が０℃から１０℃までの値であって、上限が４０℃から５０℃までの値であることを特徴とする請求項３から６のいずれか１項に記載のディスク駆動装置。
【請求項８】
前記書き込み制御手段が、前記ディスク領域を設定する際に基準となる領域設定用テーブルを備えていることを特徴とする請求項１から７のいずれか１項に記載のディスク駆動装置。
【請求項９】
ディスク駆動装置に備えられた少なくとも１つのディスクの温度を測定し、該温度の測定値に基づいて情報の書き込みを許可するディスク領域を設定して情報の書き込みを行うことを特徴とする情報記録方法。
【請求項１０】
前記少なくとも１つのディスクが、少なくとも１つの磁気ディスクであって、少なくとも１つの磁気ヘッドによって、前記書き込みを行うことを特徴とする請求項９に記載の情報記録方法。
【請求項１１】
前記測定値が所定の温度範囲を下回って小さい値である場合に、前記ディスク領域を所定の動径座標以内の範囲に設定することを特徴とする請求項９又は１０に記載の情報記録方法。
【請求項１２】
前記測定値が小さいほど、前記所定の動径座標が小さくなることを特徴とする請求項１１に記載の情報記録方法。
【請求項１３】
前記測定値が所定の温度範囲を超えて大きい値である場合に、前記磁気ヘッドのスキュー角が所定範囲内となるディスク領域を設定することを特徴とする請求項１０に記載の情報記録方法。
【請求項１４】
前記測定値が大きいほど、前記スキュー角の所定範囲が狭くなることを特徴とする請求項１３に記載の情報記録方法。
【請求項１５】
前記所定の温度範囲の下限が０℃から１０℃までの値であって、上限が４０℃から５０℃までの値であることを特徴とする請求項１１から１４のいずれか１項に記載の情報記録方法。
【請求項１６】
前記ディスク領域を設定する際に、領域設定用テーブルを基準とすることを特徴とする請求項９から１５のいずれか１項に記載の情報記録方法。
【発明の詳細な説明】
【技術分野】
【０００１】
本発明は、ディスクの温度に応じて、ディスク内の記録領域の設定を行う手段を備えたディスク駆動装置、及びディスクの温度に応じて、ディスク内の記録領域を設定する情報記録方法に関する。
【背景技術】
【０００２】
磁気ディスク駆動装置においては、スピンドルモータによって回転させられた磁気ディスクに対して、磁気ヘッドが信号の書き込み及び読み出しを行う。書き込みの際、磁気ヘッドは、磁気ディスク基板上に形成された磁気記録層が有する保磁力（ＨＣ）よりも大きな振幅を持つ信号磁界を発生させて、この磁気記録層の磁化状態を変化させることにより書き込みを行う。
【０００３】
ここで、磁気記録層のＨＣは、一般的な特性として絶対零度で最大値をとる。その後、温度が高くなるにつれて減少し、キュリー温度においてＨＣ＝０となる。通常使用されている磁気記録層、例えばＣｏＣｒＰｔではキュリー温度は、約５００Ｋである。
【０００４】
現在、携帯電話やモバイル用途の各種機器において、大量の情報を記録する必要から磁気ディスク駆動装置の搭載が進められている。これらの機器においては、氷点下又は炎天下での使用など使用温度範囲が広いので、磁気記録層のＨＣが、従来の規定範囲を超えるより大きな値又はより小さな値となる場合が起こる。
【０００５】
ここで、非常に低温の使用環境では、磁気記録層のＨＣ値が従来の規定範囲を超えて大きくなるため、磁気ヘッドによる書き込みが、能力の限界に近づいて困難となる。特に、磁気ディスクの角速度が一定の記録方式において、磁気ディスクの外周部は内周部に比べて線速度がより大きい。このため、外周部において書き込み周波数が増大する。従って、書き込みがより早く限界に達する。
【０００６】
一方、非常に高温の使用環境では、ＨＣ値が従来の規定範囲を下回って小さくなるため、記録ビットの安定性が低下する。このため、磁気ヘッドとトラックとの間のスキュー角（θＳ）が大きい外周部及び内周部では、磁気ヘッドの磁極部からの漏洩磁界による隣接トラックの擾乱又は消去が発生する確率が高まる。
【０００７】
以上のような使用温度範囲の拡大によって生じる弊害に対処するために、例えば、特許文献１においては、磁気ディスクの周囲の温度が高温領域にある場合、読み出し及び書き込みの機能を備えた運転を行い、低温領域にある場合、読み出しのみの機能を備えた運転を行う磁気ディスク装置が記載されている。また、特許文献２に記載された磁気ディスク装置は、高温用の磁気ディスク媒体と低温用の磁気ディスク媒体とを備えており、周囲温度範囲の検出結果に基づいて両媒体の間で使用を切り替えている。
【０００８】
さらに、磁気ディスク自体の温度を調整して、使用温度範囲の拡大に対処する方法もある。例えば、特許文献３においては、磁気ヘッドによる書き込み時に、レーザ光を用いて磁気ディスクの書き込み領域を局所的に加熱している。また、特許文献４においては、ヒータを記録用ディスクの一面に対向設置している。
【特許文献１】特開２００２―２７９６０１号公報
【特許文献２】特開２００３―３４６３０４号公報
【特許文献３】特開平１０−２６９５０２号公報
【特許文献４】特開平５―１８９９５２号公報
【発明の開示】
【発明が解決しようとする課題】
【０００９】
しかしながら、特許文献１の磁気ディスク装置においては、情報の書き込みを行う際には高温環境を提供する所定の装置を用いる必要がある。従って、この装置は、通常の記録再生を前提とした情報ストレージとして使用され得ない。また、特許文献２の磁気ディスク装置においては、磁気ディスク及び磁気ヘッド系が必ず複数必要となるので装置の小型化に限界がある。また、上述のθＳによる隣接トラックの擾乱又は消去の問題も解決することができない。さらに、低温用の磁気ディスク媒体は、保持力ＨＣがかなり小さい磁性材料を用いているので、高温の使用環境によっては、磁化が熱的に減磁されて記録ビットが不安定になる可能性がある。
【００１０】
さらに、特許文献３及び４においては、レーザ用又はヒータ用の電源が必要となるので小型化の障害となる。さらに消費電力も増大する。そのため、特に携帯電話やモバイル用途の各種機器には適用が困難である。その上、特許文献４では、ヒータによってディスクの片面のみを加熱するので、ディスクを所定の温度にまで昇温させるのに若干の時間が必要となる。従って、頻繁に電源のオンオフがなされる使用形態では、なおさら適用が困難である。
【００１１】
従って本発明の目的は、搭載機器の使用温度範囲の拡大に対応して、高い信頼性を有する書き込み動作を保証することができるディスク駆動装置及び情報記録方法を提供することにある。さらに本発明の他の目的は、装置を小型化することができて、さらに消費電力を抑制することも可能である、使用温度範囲の拡大に対応したディスク駆動装置及び情報記録方法を提供することにある。
【課題を解決するための手段】
【００１２】
本発明によれば、温度によって保磁力ＨＣが変化する少なくとも１つのディスクと、この少なくとも１つのディスクに情報を書き込む情報書き込み手段と、この少なくとも１つのディスクの温度を測定する温度測定手段と、この温度測定手段による測定値に基づいて、情報の書き込みを許可するディスク領域（書き込み許可領域）を設定し、設定された書き込み許可領域を情報書き込み手段に対して指示する書き込み制御手段とを備えているディスク駆動装置が提供される。
【００１３】
温度測定手段によるディスク温度の測定値に基づいて、ディスク内に書き込み許可領域を設ける書き込み制御手段が備えられている。このため、ディスクの温度が従来の使用温度範囲の外である場合に、不十分な書き込み及び隣接トラック消去等の不都合な現象が生じ得るディスク領域への書き込みを回避することができる。この結果、従来の使用温度範囲の外において実現が困難であった、高い信頼性を有する書き込み動作を保証することができる。さらに、レーザ及びヒータ等の加熱手段を使用しないので専用電源等の設備は不要であり、また磁気ディスク及び磁気ヘッド系が必ずしも複数必要とはされないので、装置を小型化することができて、さらに消費電力も抑制することが可能となる。
【００１４】
少なくとも１つのディスクが、少なくとも１つの磁気ディスクであって、情報書き込み手段が、この少なくとも１つの磁気ディスクに情報を書き込む少なくとも１つの磁気ヘッドを含んでおり、磁気記録方式によって情報の記録及び再生を行うことも好ましい。すなわち、本発明のディスク駆動装置は、磁気ディスク駆動装置を含んでおり、磁気ディスク駆動装置において、従来の使用温度範囲の外において高い信頼性を有する書き込み動作を保証することができる。
【００１５】
温度測定手段による測定値が所定の温度範囲を下回って小さい値である場合に、書き込み制御手段が、書き込み許可領域を所定の動径座標以内の範囲に設定することが好ましい。ここで、所定の温度範囲の下限が０℃から１０℃までの値であって、上限が４０℃から５０℃までの値であることも好ましい。さらに、この測定値が小さいほど、所定の動径座標がより小さくなることがより好ましい。
【００１６】
このような低温の使用環境では、上述したように、磁気ディスク１０の磁気記録層のＨＣ値が従来の規定範囲を超えて大きくなる。この際、磁気ディスクの内周部よりも外周部において、線速度がより大きくなって書き込み周波数が増大する。この結果、外周部での書き込みが、磁気ヘッドの能力の限界により速く達する。この現象を踏まえて、ディスクの温度が低いほど、所定のより小さな動径座標以内の範囲に書き込みを許可することによって、不十分な書き込みが生じ得るディスク領域への書き込みを回避することができる。この結果、高い信頼性を有する書き込み動作を保証することができる。
【００１７】
温度測定手段による測定値が所定の温度範囲を超えて大きい値である場合に、書き込み制御手段が、トラックに対する磁気ヘッドのスキュー角θＳが所定範囲内となるディスク領域を設定することが好ましい。ここで、所定の温度範囲の下限が０℃から１０℃までの値であって、上限が４０℃から５０℃までの値であることも好ましい。さらに、この測定値が大きいほど、θＳの所定範囲が狭くなることがより好ましい。
【００１８】
磁気ヘッドにおいては、上部磁極層と下部磁極層の間のギャップ層に発生する記録磁界によってトラックに情報信号が書き込まれるが、一般に、上部磁極層周辺に漏洩磁界領域が存在する。ここで、θＳがθＳ＝０を中心とした所定の範囲を超えると、漏洩磁界領域が隣接トラックに重なることになる。従って、磁気ディスクのＨＣが小さい場合、記録ビットの安定性が低下するので、隣接トラックに書き込まれた記録ビットを消去してしまう可能性がある。このような現象を踏まえて、このθＳがθＳ＝０を中心として所定の範囲内となるディスク領域にのみ書き込みを許可することによって、隣接トラックへの干渉を回避することができる。
【００１９】
書き込み制御手段が、ディスク領域を設定する際に基準となる領域設定用テーブルを備えていることが好ましい。この領域設定用テーブルは、磁気ディスクの磁気的特性及び磁気ヘッドの書き込み能力に応じて、使用温度の全範囲において、ディスク温度と書き込み許可領域との関係を示すものであり、このテーブルに基づいて、書き込み制御部は、適切な書き込み許可領域を設定することができる。
【００２０】
本発明によれば、ディスク駆動装置に備えられた少なくとも１つのディスクの温度を測定し、この温度の測定値に基づいて情報の書き込みを許可するディスク領域を設定して情報の書き込みを行う情報記録方法が提供される。
【００２１】
ディスク温度の測定値に基づいて、ディスク内に書き込み許可領域を設けているので、ディスクの温度が従来の使用温度範囲の外であっても、不十分な書き込み及び隣接トラックの消去等の、不都合な現象が生じ得るディスク領域を回避することができる。この結果、従来の使用温度範囲の外において実現が困難であった高い信頼性を有する書き込み動作を保証することができる。さらに、レーザ及びヒータ等の加熱方法を使用しないので専用電源等の設備は不要となり、磁気ディスク及び磁気ヘッド系が必ずしも複数必要とはされないので、装置を小型化することができて、さらに消費電力も抑制することが可能となる。
【００２２】
少なくとも１つのディスクが、少なくとも１つの磁気ディスクであって、少なくとも１つの磁気ヘッドによって、前記書き込みを行うことが好ましい。すなわち、本発明の情報記録方法は、磁気記録方式を含んでおり、磁気記録方式における高い信頼性を有する書き込み動作を保証することができる。
【００２３】
ディスク温度の測定値が所定の温度範囲を下回って小さい値である場合に、ディスク内の書き込み許可領域を所定の動径座標以内の範囲に設定することが好ましい。ここで、所定の温度範囲の下限が０℃から１０℃までの値であって、上限が４０℃から５０℃までの値であることも好ましい。さらに、ディスク温度の測定値が小さいほど、所定の動径座標がより小さくなることがより好ましい。
【００２４】
ディスク温度の測定値が所定の温度範囲を超えて大きい値である場合に、トラックに対する磁気ヘッドのθＳが所定範囲内となるディスク領域を設定することが好ましい。ここで、所定の温度範囲の下限が０℃から１０℃までの値であって、上限が４０℃から５０℃までの値であることも好ましい。さらに、ディスク温度の測定値が大きいほど、θＳの所定範囲が狭くなることがより好ましい。
【００２５】
ディスク内に書き込み許可領域を設定する際に、領域設定用テーブルを基準とすることが好ましい。この領域設定用テーブルは、磁気ディスクの磁気的特性及び磁気ヘッドの書き込み能力に応じて、使用温度の全範囲において、ディスク温度と書き込み許可領域との関係を示すものであり、このテーブルを基準とすることによって、適切な書き込み許可領域を設定することができる。
【発明の効果】
【００２６】
本発明のディスク駆動装置及び情報記録方法によれば、搭載機器の使用温度範囲の拡大に対応して、高い信頼性を有する書き込み動作を保証することができる。さらに、装置を小型化することができて、消費電力も抑制することが可能となる。
【発明を実施するための最良の形態】
【００２７】
図１は、本発明の一実施形態における磁気ディスク駆動装置の要部の構成を概略的に示す斜視図である。
【００２８】
同図において、１０は、スピンドルモータ１４の回転軸の周りを回転する磁気ディスクであり、Ａｌ又はガラス等を基板としてその上に形成された磁気記録層を含む。１１は、磁気ディスク１０の所定の位置に情報信号を書き込む情報書き込み部である。この情報書き込み部１１において、１１ｂは、アセンブリキャリッジ装置１１ｅに設けられている駆動アームであり、ボイスコイルモータ（ＶＣＭ）１１ｄによってピボットベアリング軸１１ｃを中心にして角揺動可能になっている。ここで、ＶＣＭ１１ｄは、コントローラ１１ｆによって制御される。駆動アーム１１ｂの先端部には、ヘッドジンバルアセンブリ（ＨＧＡ）１１ａが取り付けられている。このＨＧＡ１１ａには、磁気ヘッド（スライダ）１１ａ´が磁気ディスク１０の表面に対向するように設けられている。磁気ヘッド１１ａ´の読み出し部は、面内通電型（ＣＩＰ（Current In Plain））巨大磁気抵抗効果（ＧＭＲ（Giant Magneto Resistive））素子、垂直通電型（ＣＰＰ（Current Perpendicular to Plain））ＧＭＲ素子又はトンネル磁気抵抗効果（ＴＭＲ（Tunnel Magneto Resistive））素子のいずれであっても良い。磁気ディスク１０、駆動アーム１１ｂ、ＨＧＡ１１ａ及び磁気ヘッド１１ａ´は、同図においてはそれぞれ単数となっているが、それぞれ複数設けられていても良い。複数設けられる場合、磁気ディスク１０及び駆動アーム１１ｂが、それぞれスピンドルモータ１４の回転軸及びピボットベアリング軸１１ｃに沿ってスタックされていても良い。
【００２９】
１２は、書き込み制御部であり、温度センサ１３による磁気ディスク１０の温度の測定値を受け取る。その後、この測定値に基づいて、磁気ディスク１０内の書き込み許可領域を設定し、コントローラ１１ｆに対して設定された書き込み許可領域を指示する。
【００３０】
図２は、図１の実施形態における磁気ディスク装置の要部の構成を示すブロック図である。
【００３１】
同図において、書き込み制御部１２は、領域設定用テーブル１２ａと書き込み許可領域設定部１２ｂとを備えている。領域設定用テーブル１２ａは、磁気ディスク１０における磁気記録層のＨＣ及び回転数、磁気ヘッド１１ａ´の磁極層の設計値、磁気ディスク１０と磁気ヘッド１１ａ´との間のマグネティックスペーシング等によって決定される。さらに具体的には、後に詳述するように、図６に示したような磁気ディスクの温度と書き込み許可領域との関係に基づいて作成される。書き込み許可領域設定部１２ｂは、温度センサ１３による磁気ディスク１０の温度の測定値を受け取って、領域設定用テーブル１２ａを用いて、書き込み許可領域を設定し、コントローラ１１ｆに対してこの書き込み許可領域を指示する。コントローラ１１ｆは、指示された書き込み許可領域内に限定して、所定のトラック位置に磁気ヘッド１１ａ´を移動させるために、Ｄ／Ａ２１及びアンプ２２を介して、ＶＣＭ１１ｄに制御信号を送出する。ＶＣＭ１１ｄは、この制御信号に応じて駆動アーム１１ｂを搖動させて、磁気ヘッド１１ａ´を磁気ディスク１０の所定の表面に対向する位置に随時移動させる。磁気ヘッド１１ａ´は、この対向位置において、磁気ディスク１０に情報の書き込みを行う。
【００３２】
図３は、図１の実施形態において、磁気ディスクの温度に応じて磁気ディスク内の記録領域を設定する情報記録方法のフローチャートである。
【００３３】
同図において、まず、温度センサ１３が、磁気ディスク１０の温度を測定する（Ｓ１）。次いで、書き込み制御部１２が、この測定値を受け取って、領域設定用テーブル１２ａを用いて、書き込み許可領域を設定する（Ｓ２）。次いで、コントローラ１１ｆに対してこの書き込み許可領域を指示する（Ｓ３）。コントローラ１１ｆは、指示された書き込み許可領域内に限定して、ＶＣＭ１１ｄに対して制御信号を送出し、磁気ヘッドを所定トラック位置に移動させる（Ｓ４）。その後、所定トラック位置に移動された磁気ヘッド１１ａ´を用いて、情報信号の書き込みを行う（Ｓ５）。磁気ヘッド１１ａ´による情報信号の書き込みの適当な周期毎に又は一定の時間毎に、最初に戻って、磁気ディスク１０の温度を測定する（Ｓ１）。以後、情報信号の書き込みに関して、このサイクルを繰り返す。
【００３４】
図４は、低温環境下における、書き込み許可領域の設定要因の説明図である。同図において、保磁力の関係が全温度範囲でＨＣＡ＜ＨＣＢ＜ＨＣＣである３つの磁気ディスクＡ、Ｂ及びＣの書き込み許可領域を比較している。横軸は使用される磁気ディスクの温度Ｔである。縦軸は磁気ディスク内の動径座標ｒであり、斜線部が書き込み許可領域を示す。
【００３５】
３つの磁気ディスクのいずれにおいても、非常に低温の使用環境では、上述したように、磁気ディスクの磁気記録層のＨＣ値が従来の使用範囲を超えて大きくなる。この際、磁気ディスクの角速度が一定の方式では、磁気ディスクの内周部よりも外周部において、線速度がより大きくなるため書き込み周波数が増大する。この結果、書き込みが、磁気ヘッドの能力の限界により速く達する。従って、温度Ｔが低温の場合、書き込みを許可するディスク領域を、所定の動径座標Ｒ以内の範囲に設定することになる。これにより、書き込み許可領域が内周側に制限されて、書き込み不良が回避される。
【００３６】
次いで、３つの磁気ディスクＡ、Ｂ及びＣにおける書き込み許可領域を比較する。保磁力が最も小さいＡにおいては、同じ温度Ｔ及び同じ動径座標ｒを有する外周部において保磁力ＨＣが最も小さく、情報の書き込みが、磁気ヘッドの能力の限界に達するのが最も遅くなる。その結果、書き込み許可領域は、磁気ディスクＢ及びＣに比べて広くなる。次いで、Ｂ、Ｃの順に、書き込み許可領域は狭くなる。このように、書き込み許可領域は、磁気ディスクのＨＣ値に依存しており、磁気ディスクごとに温度に応じて設定される。
【００３７】
図５は、高温環境下における、書き込み許可領域の設定要因の説明図である。
【００３８】
同図において、駆動アーム１１ｂは、ピボットベアリング軸１１ｃを中心として揺動する。その結果、磁気ヘッド１１ａ´は、外周側のａ位置にある場合、書き込みを行っているトラック５０の中心線と、磁気ヘッドの上下部磁極層５４及び５２の中心線との間に一定のスキュー角θＳを有することになる。このθＳは、磁気ヘッド１１ａ´が適当な位置ｂに有る場合にゼロとなる。さらに、磁気ヘッド１１ａ´が、内周側のｃ位置にある場合にも同様に一定のθＳを有することになる。すなわち、θＳ値は、磁気ヘッド１１ａ´がθＳ＝０である位置ｂから磁気ディスクの動径方向において大きく離れた位置に有るほど、大きくなる。
【００３９】
磁気ヘッド１１ａ´においては、上部磁極層５４と下部磁極層（磁気シールド層）５２との間のギャップ層５３に発生する記録磁界がトラック５０に情報信号を書き込む。しかし、実際には上部磁極層５４周辺にも漏洩磁界領域５５が存在する。ここで、θＳがθＳ＝０を中心とした所定範囲Δθを超える位置、例えば位置ａ又はｃに磁気ヘッド１１ａ´が存在する場合、この漏洩磁界領域５５が、隣接トラック５１に重なることになる。この結果、磁気ディスクのＨＣ値が小さい場合には記録ビットの安定性が低下するので、隣接トラック５１に書き込まれた記録ビットを消去してしまう可能性がある。従って、ＨＣ値が小さい場合、θＳがΔθ内、すなわち位置ｂ周辺の所定のディスク領域においてのみ、上部磁極層による隣接トラックへの干渉を回避することができることになる。
【００４０】
図６は、磁気ディスクの温度と書き込み許可領域との関係を示した図である。横軸は使用される磁気ディスク１０の温度Ｔである。縦軸は磁気ディスク１０内の動径座標ｒであり、斜線部が書き込み許可領域を示す。
【００４１】
同図において、横軸におけるΔＴは、従来の使用温度範囲であり、従来通り磁気ディスク内の全トラックを書き込み対象として使用する温度範囲となる。この温度範囲は、下限が０℃から１０℃までの値であって、上限が４０℃から５０℃までの値であることが好ましい。例えば、５〜４５℃の範囲が設定される。ただし、使用する磁気ディスクによって他の温度範囲が設定されても良い。磁気ディスクの温度Ｔが使用温度範囲ΔＴを超えて高くなっている場合、磁気記録層のＨＣが小さくなるので、上述したようにθＳの所定範囲Δθに対応したディスク領域のみに書き込みが許可される。また、温度Ｔが高くなるほど、この書き込み許可領域は、θＳ＝０である位置を中心として狭くなる。ここで、磁気ディスクのＨＣ値がより小さく設定された磁気ディスクを使用する場合には、書き込み許可領域の境界線は破線ａのようになり、同領域はより狭くなる。一方、ＨＣ値がより大きく設定された磁気ディスクを使用する場合には破線ｂのようになり、同領域はより広くなる。
【００４２】
同図において、磁気ディスクの温度Ｔが、使用温度範囲ΔＴを下回って低くなっている場合、図２を用いて詳述したように、温度Ｔが低いほど、書き込み許可領域がより内周側に制限されて狭くなっている。ここで、磁気ディスクのＨＣ値がより大きく設定された磁気ディスクを使用する場合には、書き込み許可領域の境界線は破線ｃのようになり、同領域は狭くなる。一方、ＨＣ値がより小さく設定された磁気ディスクを使用する場合には破線ｄのようになり、同領域は広くなる。
【００４３】
図６に示したように、使用される磁気ディスクの磁気的特性及び磁気ヘッドの書き込み能力等に基づいて、使用温度の全範囲において書き込み許可領域を決定することによって、ディスク温度と書き込み許可領域との関係を示す領域設定用テーブル１２ａが作成可能となる。なお、ΔＴが存在せず、いずれの温度においても、磁気ディスクの最外周又は最内周を含む領域の使用が制限される実施形態をとる場合もあり得る。
【００４４】
以上述べた実施形態は、ディスクが磁気ディスクであって、磁気記録方式のディスク駆動装置に関するものであるが、ディスクが光磁気ディスクであって、光磁気記録方式の光磁気ディスク駆動装置に関するものであっても、本発明の範囲内に含まれることは明らかである。すなわち、本発明によって、光磁気ディスクの温度に応じた記録領域の設定を行うことによって、安定した書き込み環境を確保してレーザ光による書き込み動作を適切に補助することが可能となる。なお、光磁気記録用のヘッドにおいてはスキュー角の問題は生じないため、図６において、ΔＴを超える高温範囲での書き込み許可領域を、同図のように設定する必要はなく、他の適切な書き込み許可領域を設定しても良い。
【００４５】
さらに、以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００４６】
【図１】本発明の一実施形態における磁気ディスク駆動装置の要部の構成を概略的に示す斜視図である。
【図２】図１の実施形態における磁気ディスク装置の要部の構成を示すブロック図である。
【図３】図１の実施形態において、磁気ディスクの温度に応じて磁気ディスク内の記録領域を設定する情報記録方法のフローチャートである。
【図４】低温環境下における、書き込み許可領域の設定要因の説明図である。
【図５】高温環境下における、書き込み許可領域の設定要因の説明図である。
【図６】磁気ディスクの温度と書き込み許可領域との関係を示した図である。
【符号の説明】
【００４７】
１０  磁気ディスク
１１  情報書き込み部
１１ａ  ＨＧＡ
１１ａ´  磁気ヘッド
１１ｂ  駆動アーム
１１ｃ  ピボットベアリング軸
１１ｄ  ＶＣＭ
１１ｅ  アセンブリキャリッジ装置
１１ｆ  コントローラ
１２  書き込み制御部
１２ａ  領域設定用テーブル
１２ｂ  書き込み許可領域設定部
１３  温度センサ
１４  スピンドルモータ
２１  Ｄ／Ａ
２２  アンプ
５０  トラック
５１  隣接トラック
５２  下部磁極層（磁気シールド層）
５３  ギャップ層
５４  上部磁極層
５５  漏洩磁界領域
【図１】
2006059413.tif 000003
【図２】
2006059413.tif 000004
【図３】
2006059413.tif 000005
【図４】
2006059413.tif 000006
【図５】
2006059413.tif 000007
【図６】
2006059413.tif 000008